(57)【要約】【課題】長時間装着しても良好な装着感が維持される耳掛け式ヘッドホンを提供する。【解決手段】スピーカユニット(SP)と、スピーカユニット(SP)を収容し、スピーカユニット(SP)からの音声を外部に放出する放音孔(1a2)が形成されたグリル部(1a1)を有する本体部(1)と、本体部(1)の一周縁部に連結された耳掛け部(3)と、グリル部(1a1)に対する延在方向外側において、グリル部(1a1)よりも放音方向に突出した耳当て部(1a4)と、を備える。耳掛け部(3)を耳介(E)に掛けることで、耳当て部(1a4)の外側面の一部が、グリル部(1a1)を耳介(E)側として耳介(E)の対耳輪(E4)の内側に当接し、耳介(E)の耳珠(E8)が、グリル部(1a1)に対応する位置にある装着状態となるよう構成されている。【選択図】図１
2015070468.tif 000002
【特許請求の範囲】
【請求項１】
スピーカユニットと、
前記スピーカユニットを収容し、前記スピーカユニットからの音声を外部に放出する放音孔が形成されたグリル部を有する本体部と、
前記本体部の一周縁部に連結された耳掛け部と、
前記グリル部に対する延在方向外側において、前記グリル部よりも放音方向に突出した耳当て部と、
を備え、
前記耳掛け部を耳介に掛けることで、前記耳当て部の外側面の一部が、前記グリル部を前記耳介側として前記耳介の対耳輪の内側に当接し、
前記耳介の耳珠が、前記グリル部に対応する位置にある装着状態となるよう構成されていることを特徴とする耳掛け式ヘッドホン。
【請求項２】
前記耳当て部は、前記グリル部を囲む弧状又は環状に形成されていることを特徴とする請求項１記載の耳掛け式ヘッドホン。
【請求項３】
前記耳当て部は、その根本における前記グリル部からの突出高さが、前記一周縁部側から前記一周縁部から遠い側に向かって低く形成されていることを特徴とする請求項１または請求項２記載の耳掛け式ヘッドホン。
【請求項４】
前記耳掛け部は、回動軸線まわりに１８０°以上回動可能に連結されていることを特徴とする請求項１〜３のいずれか１項に記載の耳掛け式ヘッドホン。
【請求項５】
前記本体部の周縁部形状は、前記回動軸線に対して線対称とされていることを特徴とする請求項４記載の耳掛け式ヘッドホン。
【請求項６】
前記本体部は、前記耳当て部と前記耳当て部を除く部分とが、別体で形成されていることを特徴とする請求項１〜５のいずれか１項に記載の耳掛け式ヘッドホン。
【発明の詳細な説明】
【技術分野】
【０００１】
本発明は、耳介に掛ける耳掛けハンガを備えた耳掛け式ヘッドホンに関する。
【背景技術】
【０００２】
耳介に掛ける耳掛けハンガを備えた耳掛け式ヘッドホンが知られており、一例が特許文献１に記載されている。
耳掛け式ヘッドホンは、耳掛けハンガを耳介に掛けると本体部が外耳道を覆うように耳介に当接して、装着姿勢が安定するようになっている。
【先行技術文献】
【特許文献】
【０００３】
【特許文献１】特開２００３−３３３６７８号公報
【発明の概要】
【発明が解決しようとする課題】
【０００４】
耳掛け式ヘッドホンは、耳介Ｅへの装着姿勢が比較的安定することから、音楽鑑賞用に限らず、多くの用途に用いられる。例えば、業務用無線通信用途である。
業務用無線通信用途では、トランシーバなどの無線機に接続して使用される。この用途における耳掛け式ヘッドホンの装着時間は、音楽鑑賞用途に比べて極めて長く、しかも連続で装着されるのが一般的である。
【０００５】
ところで、耳介Ｅには、外耳道Ｅ７における出口縁部の頭部側、及び出口縁部の下方側に、それぞれ外方に向け突出する突出部位として耳珠Ｅ８及び対耳珠Ｅ９がある（図８参照）。
耳珠Ｅ８及び対耳珠Ｅ９は、耳介Ｅの耳垂Ｅ２などと比較して硬い、いわゆる腰のある突出部位である。
ヘッドホンの耳介Ｅに当接する面が、イヤーパッドの有無に拘わらず、特許文献１に記載されたような平面状である場合、或いは耳介Ｅ側に突出したドーム状である場合、耳介Ｅへの装着状態で、ヘッドホンの本体部が突出部位（耳珠Ｅ８及び対耳珠Ｅ９）に当接して、その突出部位が押し込まれた状態になることがあった。
ヘッドホンが長時間装着されていると、突出部位がその間押され続けることから、不快感が生じて良好な装着感が維持できない虞があり、改善が望まれていた。
【０００６】
そこで、本発明が解決しようとする課題は、長時間装着しても良好な装着感が維持される耳掛け式ヘッドホンを提供することにある。
【課題を解決するための手段】
【０００７】
上記の課題を解決するために、本発明は次の構成を有する。
スピーカユニット(SP)と、前記スピーカユニット(SP)を収容し、前記スピーカユニット(SP)からの音声を外部に放出する放音孔(1a2)が形成されたグリル部(1a1)を有する本体部(1)と、前記本体部(1)の一周縁部に連結された耳掛け部(3)と、前記グリル部(1a1)に対する延在方向外側において、前記グリル部(1a1)よりも放音方向に突出した耳当て部(1a4)と、
を備え、
前記耳掛け部(3)を耳介(E)に掛けることで、前記耳当て部(1a4)の外側面の一部が、前記グリル部（1a1）を前記耳介(E)側として前記耳介(E)の対耳輪(E4)の内側に当接し、
前記耳介(E)の耳珠(E8)が、前記グリル部(1a1)に対応する位置にある装着状態となるよう構成されていることを特徴とする耳掛け式ヘッドホン(51)である。
【発明の効果】
【０００８】
本発明によれば、長時間装着しても良好な装着感が維持される、という効果を奏する。
【図面の簡単な説明】
【０００９】
【図１】本発明の実施の形態に係る耳掛け式ヘッドホンの実施例であるヘッドホン５１を説明するための斜視図である。
【図２】ヘッドホン５１を説明するための前面図である。
【図３】ヘッドホン５１を説明するための後面図である。
【図４】ヘッドホン５１を説明するための右側面図である。
【図５】ヘッドホン５１を説明するための図４に対応した断面図である。
【図６】ヘッドホン５１における耳掛けハンガ３の回動を説明するための模式的上面図である。
【図７】ヘッドホン５１の耳介Ｅへの装着状態を説明するための斜視図である。
【図８】耳介Ｅを説明するための斜視図である。
【図９】ヘッドホン５１の本体部１が覆う耳介Ｅの範囲を説明するための模式図である。
【図１０】図９におけるＳ１−Ｓ１位置での断面図である。
【図１１】大きさの異なる耳介Ｅ，Ｅａ，Ｅｂへの装着状態を説明するための、図９におけるＳ２−Ｓ２位置での模式的断面図である。
【図１２】ヘッドホン５１において、耳当て部１ａ４における突出高さＨｔを一定した例を説明するための図５に相当する断面図である。
【図１３】耳当て部１ａ４を別部材で構成したヘッドホン５１Ａを説明するための模式的斜視図である。
【図１４】耳当て部１ａ４を別形態とした変形例を説明するための模式的前面図である。
【発明を実施するための形態】
【００１０】
本発明の実施の形態に係る耳掛け式ヘッドホンを、好ましい実施例及び変形例により図１〜図１４を参照して説明する。
以下の説明において、上下前後左右の各方向を各図の矢印の方向に規定している。この方向は、使用状態の姿勢における方向等とは関係がなく、理解容易のため便宜的に規定したものである。
【００１１】
（実施例）
耳掛式ヘッドホンの実施例はヘッドホン５１であり、まず、その構成を図１〜図６を参照して説明する。図１はヘッドホン５１の斜視図であり、図２は前面図であり、図３は後面図であり、図４は右側面図であり、図５は、図４に対応する部分断面図であり、図６は、左耳使用時と右耳使用時とを説明するための模式的上面図である。
【００１２】
ヘッドホン５１は、振動板ＳＰａを有するスピーカユニットＳＰと、スピーカユニットＳＰが内面側に固定された扁平椀状の前ハウジング１ａと、前ハウジング１ａの後方側を塞ぐ扁平椀状の後ハウジング１ｂと、スピーカユニットＳＰの後面に設けられた端子部ＳＰｂに一端側が接続され、他端側が後ハウジング１ｂの下方側の周縁部に設けられたコード孔１ｃから外部に引き出されたコードＣと、コード孔１ｃにコードＣを覆うよう挿通されたブッシング２と、前ハウジング１ａにおける上方側の一周縁部に設けられ、上方に突出する柱状の連結部１ｄと、連結部１ｄに連結された耳掛け部３（耳掛けハンガ３）と、を有して構成されている。
コードＣには、抜け防止の結び玉Ｃａが結わかれて形成されている。
【００１３】
前ハウジング１ａと後ハウジング１ｂとは、接着や溶着などにより一体化され本体部１を形成する。
スピーカユニットＳＰは、振動板ＳＰａが前ハウジング１ａ側となる姿勢で、本体部１の内部に収容されている。
本体部１は、この例において、後面視で概ね真円形を呈して形成されている。この後面視の形状は真円形に限定されるものではなく、長円、楕円、三角、矩形、等であってもよい。この後面視形状は、商品の外観として視認され得るため、機能に配慮しつつデザイン優先で決定されるのが一般的である。
前ハウジング１ａ及び後ハウジング１ｂは樹脂で形成されている。材料例は、ＡＢＳ（アクリロニトリル・ブタジエン・スチレン）である。
【００１４】
耳掛けハンガ３は、耳介Ｅ（図７及び図８参照）の頭部との間の根本形状に概ね沿う弧状に形成されている。弧状に形成される角度範囲は、耳掛けハンガ３が本体部１に連結された上方端の部位から少なくとも本体部１の下方端の部位に至る１８０°以上の範囲であるとよい。
この１８０°以上の範囲に形成されていると、耳掛けハンガ３による耳介Ｅの抱え込みがより確実となり、装着姿勢がより安定するので好ましい。
ヘッドホン５１では、図３などから明らかなように、弧の範囲は１８０°以上の約２３０°で形成されている。
【００１５】
耳掛けハンガ３は、スピーカユニットＳＰの軸線ＣＬ１を中心としたときの、連結部１ｄ側の概ね１００°の範囲が、ＰＯＭ（ポリアセタール）製の芯材をＴＰＥ（熱可塑性エラストマ）で覆った根本部３ａとされ、残る先端側がＴＰＥのみで形成された先端部３ｂとされている。
【００１６】
根本部３ａは、ＴＰＥより剛性の高いＰＯＭ製の芯材があることから、ある程度の弾性反発力を生じつつ変形する。感覚的表現では、いわゆる腰のある変形をする。
この弾性反発力によって、本体部１を耳介Ｅに対し適度な付勢力で付勢する装着が可能となる。
先端部３ｂは、根本部３ａよりも柔軟であり、容易に変形する。
これにより、耳掛けハンガ３を変形させながら行う、ヘッドホン５１の耳介Ｅへの装着が、よりスムースになる。また、装着する耳を他方の耳に替える際に行う耳掛けハンガ３の回動時に（この回動については後述する）、干渉するブッシング２の乗り越えが容易になる。
【００１７】
ヘッドホン５１は、左右両方の耳に装着可能とされていてよい。図１〜図４に示されるヘッドホン５１は、その左右両方の耳に装着可能とした例である。そのために、耳掛けハンガ３は、厚さ方向に曲がりのない二次元的な弧状形状で形成されている。
【００１８】
振動板ＳＰａの中央部が前方側に突出するドーム状であることに対応し、前ハウジング１ａの振動板ＳＰａに対向する部位も、前方に突出するドーム状のグリル部１ａ１とされている。
グリル部１ａ１には、振動板ＳＰａからの音声を外部に放出する放音孔１ａ２が、複数形成されている。
グリル部１ａ１における複数の放音孔１ａ２が形成された領域を、放音部１ａ３と称する。
【００１９】
前ハウジング１ａにおいて、グリル部１ａ１の延在方向外側の部位には、グリル部１ａ１よりも放音方向である前方向に向け突出した耳当て部１ａ４が形成されている。
耳当て部１ａ４の、その根本となるグリル部１ａ１との境界位置からの突出高さを突出高さＨｔ（図５参照）とすると、耳当て部１ａ４は、例えば突出高さＨｔが一定となるように形成される（図１２参照）。
また、図１及び図５などに示されるように、耳当て部１ａ４を周方向に延在するように形成し、耳当て部１ａ４の周方向の所定の位置Ｐ１の突出高さＨｔ１を最も高く、かつ所定の位置Ｐ１から離れるほど（遠いほど）、突出高さＨｔが低くなるように傾斜させて形成してもよい。
【００２０】
ヘッドホン５１では、例えば、この傾斜の角度が概ね一定とされる。
すなわち、耳当て部１ａ４の先端稜線が仮想平面ＳＦ１に含まれるようになっている。また、仮想平面ＳＦ１は、例えば、スピーカユニットＳＰの軸線ＣＬ１に斜交する平面とされている。
図４などにおいて、耳当て部１ａ４の先端稜線が、前方に僅かに凸となる曲線状で記載されているが、機能上及び得られる効果上、実質的に傾斜角度が一定なものと同じとみてよい。
【００２１】
ヘッドホン５１では、所定の位置Ｐ１は、本体部１の周縁部における上方端とされている。従って、仮想平面ＳＦ１は、図５の紙面直交方向に延在する面となる。
より詳しくは、図５において、回動軸線ＣＬ２を含み紙面に直交する仮想平面ＳＦ２を規定したときに、仮想平面ＳＦ１の仮想平面ＳＦ２に対する角度（劣角）は、角度θａだけ傾いている。
この角度θａの傾斜方向は、ヘッドホン５１の装着状態で、上方側から下方側に向かうに従って、耳当て部１ａ４が頭部ＨＤから離れる方向である。
角度θａは限定されるものではない。例えば８〜１０°である。
【００２２】
上述のように、ヘッドホン５１では、所定の位置Ｐ１が、連結部１ｄを設けた位置と合致している。この合致は、正確に一致している必要はなく、概ね合致していればよい。
【００２３】
ヘッドホン５１のコードＣの引き出し方向は、下方とされている。
具体的には、連結部１ｄの突出方向である上方とは逆の方向に引き出されている。これは、ヘッドホン５１が、左右両耳に装着可能であることによる。
左耳と右耳との専用のヘッドホンとする場合、このコードＣの引き出し方向は限定されるものではない。
ただし、コードＣが、装着状態で耳介Ｅの下方側に引き出されていると、その引き回しが自然になるのでより好ましい。
【００２４】
ヘッドホン５１を左右の両方の耳に装着可能なものとするために、耳掛けハンガ３は、上述の厚さ方向に曲がりのない二次元的な弧状の形状で形成されることに加え、連結部１ｄにおいて回動するようになっている。  具体的には、上面図である図６（ａ）及び図６（ｂ）に示されるように、耳掛けハンガ３は、連結部１ｄにおいて、その軸線である回動軸線ＣＬ２まわりに少なくとも１８０°回動するように連結されている。
【００２５】
連結部１ｄにおける耳掛けハンガ３の回動方向は限定されず、図６（ａ）における時計回り方向（矢印ＤＲ２）、反時計回り方向（矢印ＤＲ３）のいずれでもよい。
図６（ａ）は、左耳装着を可能とする左耳用回動位置であり、図６（ｂ）は、右耳装着を可能とする右回動位置である。
左回動位置と右回動位置との間の回動において、耳掛けハンガ３の先端部３ｂの回動経路上にブッシング２が存在する。すなわち、耳掛けハンガ３の回動でブッシング２が干渉する。
これに対し、耳掛けハンガ３は、特に先端部３ｂが極めて柔軟に形成されているので、変形させることによりブッシング２を容易に乗り越えることができる。
ヘッドホン５１を、左右の両方の耳に装着可能とする場合、回動軸線ＣＬ２をスピーカユニットＳＰの軸線ＣＬ１と交わるように設定すると、左耳と右耳とでスピーカユニットＳＰの位置が同等位置になるのでよい。
【００２６】
次に、ヘッドホン５１を耳介Ｅに装着した状態について、図７〜図１１も参照して説明する。以下の説明では、耳掛けハンガ３を左耳に装着した場合を説明する。右耳に装着した場合は、左右反対となるのみで、他は同様である。
【００２７】
図７は、ヘッドホン５１を左の耳介Ｅに装着した状態を示す斜視図である。また、図８は、図７に対しヘッドホン５１を装着していない状態の耳介Ｅを示している。
図７に示される装着状態で、耳掛けハンガ３は、耳介Ｅにおける耳輪Ｅ１と頭部ＨＤとの間の谷間に収められ、耳介Ｅの外側の根本に沿って掛けられる。
ここで耳掛けハンガ３は、上述のように、弧状に形成される範囲を約２３０°としているので、先端部３ｂの先端近傍は、耳垂Ｅ２と頭部ＨＤの間にまで達する。
【００２８】
耳介Ｅは、頭部ＨＤに対して後頭部側に向かうに従って離れるように起き上がって突出している。従って、耳介Ｅに掛けられた耳掛けハンガ３は、本体部１に対し、厚み方向（図４の矢印ＤＲ１参照）に三次元的に変形している。
そのため、耳掛けハンガ３には、この変形を元に戻そうとする弾性反発力が発生し、この弾性反発力により、耳輪Ｅ１を耳掛けハンガ３との間で挟むように本体部１が耳介Ｅ側に付勢される。この付勢力も、ヘッドホン５１の耳介Ｅに対する安定装着に寄与している。
【００２９】
装着状態で、連結部１ｄは、耳輪脚Ｅ３の顔側端部近傍に位置する。コードＣは、耳垂Ｅ２に沿って下方へ引き出される。従って、ヘッドホン５１は、装着状態で、回動軸線ＣＬ２の上方側が顔側に近づくように傾いた姿勢とされる。
【００３０】
本体部１は、装着状態で、上方側が対耳輪Ｅ４の顔側の凹部である耳甲介艇Ｅ５と耳甲介腔Ｅ６とに概ね収まるように、つまり耳当て部１ａ４の外側面の一部が対耳輪Ｅ４の内側に接するように、かつ、外耳道Ｅ７と、外耳道Ｅ７の顔側において頭部ＨＤから離れる方向に突出する耳珠Ｅ８と、外耳道Ｅ７の下方側において頭部ＨＤから離れる方向に突出する対耳珠Ｅ９と、を覆うように、外形形状及び寸法が設定されている。
【００３１】
図９は、図７における矢視Ｙ１図であり、本体部１が覆う耳介Ｅの範囲を模式的に示した図である。図９における耳介Ｅは、ヘッドホン５１の設計の基準とする最も一般的と考えられる大きさで記載してある。
本体部１における実線は外形ラインに相当し、その内側の一点鎖線で示された線ＬＮ１は、耳当て部１ａ４が根本のグリル部１ａ１と接続するラインを示している。すなわち、線ＬＮ１で囲まれた範囲がグリル部１ａ１に対応する範囲に相当する。
【００３２】
図９に示されるように、ヘッドホン５１の装着状態で、耳珠Ｅ８は耳当て部１ａ４に囲まれたグリル部１ａ１に対応する範囲内に位置している。
装着状態において、耳当て部１ａ４に対し、グリル部１ａ１は頭部ＨＤから離れるように凹んだ位置にある。
そのため、耳珠Ｅ８は、グリル部１ａ１に当接しない状態、又は従来より少ない変形量で当接した状態、となる。
【００３３】
この耳珠Ｅ８とグリル部１ａ１との高さ位置の関係は、図１０に示されている。図１０は、図９におけるＳ１−Ｓ１位置での模式的断面図である。
【００３４】
図１０に示されるように、耳当て部１ａ４の先端部位に対してグリル部１ａ１が頭部ＨＤから離れるように凹んで形成されており、装着状態において、その凹みに耳珠Ｅ８が進入している。
これにより、ヘッドホン５１は、従来のヘッドホンの、耳当て部１ａ４が無くグリル部１ａ１が平面又は耳介Ｅ側にドーム状に凸となっていた当接面位置（平面の場合を線ＬＮ２として例示）と比べて、突出部位である耳珠Ｅ８の変形が生じない、或いは変形が生じてもわずかな変形で済むようになっている。
【００３５】
上述のように、ヘッドホン５１は、本体部１が、放音部１ａ３を有するグリル部１ａ１よりも径方向の外側において、グリル部１ａ１よりも放音方向に突出した耳当て部１ａ４を有して形成されている。
また、本体部１は、ヘッドホン５１の装着状態で、突出部位である耳珠Ｅ８が、耳当て部１ａ４に対して頭部ＨＤよりも離れる方向に凹むグリル部１ａ１に対応した位置にあるように形成されている。
これにより、ヘッドホン５１は、長時間使用しても、不快感が生じ難く、良好な装着感が維持される。
【００３６】
耳当て部１ａ４の突出高さＨｔが大きい（高い）ほど、グリル部１ａ１に耳珠Ｅ８が当接する可能性は低くなり、仮に当接したとしても変形量は少なくなる。
【００３７】
ところで、耳介Ｅの大きさには、個人差がある。特に、ヘッドホン５１を耳介Ｅに装着した装着状態で、耳当て部１ａ４の下方端部に対応する耳介Ｅの部位の違いは比較的大きい。
【００３８】
ヘッドホン５１では、図９に示されるように、基準とした大きさの耳介Ｅにおいて、本体部１の下方端部は対耳珠Ｅ９の位置に対応させている。これは、本体部１の後方視を、デザインの観点から概ね円形として、本体部１の上方側を、対耳輪Ｅ４の顔側の凹部である耳甲介艇Ｅ５と耳甲介腔Ｅ６とに概ね収まるようにしたことにもよる。
対耳珠Ｅ９は、突出部位であるため、耳介Ｅの大きさの違いによって装着感に大きな差が生じる虞があり、この違いに起因する装着感の差を小さくし、個人差なくできるだけ良好な装着感が得られることが望まれる。
【００３９】
そこで、ヘッドホン５１の耳当て部１ａを、グリル部１ａ１を概ね全周で囲む弧状、又は完全に全周で囲む環状に形成すると共に、グリル部１ａ１に対する突出高さＨｔを、連結部１ｄを設けた周方向位置で最大にし、連結部１ｄから離れるほど低くなるように形成するとよい。
これにより、耳介Ｅの大きさの違いによる装着感の違いを良好に小さくすることができる。これについて、図１１を参照して説明する。
【００４０】
図１１（ａ）〜（ｃ）は、ヘッドホン５１を耳介Ｅに装着した装着状態における図９のＳ２−Ｓ２位置での模式的断面図である。
図１１（ａ）は、設計基準とした大きさの耳介Ｅにおける装着状態、図１１（ｂ）は、耳介Ｅよりも小さい耳介Ｅａにおける装着状態、図１１（ｃ）は、耳介Ｅよりも大きい耳介Ｅｂにおける装着状態、が示されている。
【００４１】
一般に、耳掛式ヘッドホンにおいて、装着状態での姿勢は、耳掛けハンガ３の形状と、本体部１において耳掛けハンガ３が連結した連結部１ｄの近傍の形状と、で概ね決まる。これはヘッドホン５１でも同様である。
そこで、図１１（ａ）〜（ｃ）では、理解容易のため、それぞれの仮想平面ＳＦ２の位置と向きが同じになるものとして説明する。
【００４２】
図１１（ａ）〜（ｃ）において、耳当て部１ａ４における先端稜線の上方端が耳介Ｅに当接する位置を位置Ｐ２とし、仮想平面ＳＦ２に平行で位置Ｐ２を通る仮想平面ＳＦ２Ａを設定する。
このとき、耳当て部１ａ４の先端稜線を含む仮想平面ＳＦ１が仮想平面ＳＦ２に対して角度θａだけ傾斜していることから、耳当て部１ａ４の下端の位置Ｐ３は、仮想平面ＳＦ２Ａよりも後方側にある。
【００４３】
例えば、図１１（ａ）に示される基準サイズとした耳介Ｅの場合、位置Ｐ３は、対耳珠Ｅ９の下方側の部位に位置し、当接せずに僅かに隙間が生じるようになっている。
すなわち、ヘッドホン５１を長時間装着しても、本体部１の下方側は、突出部位である対耳珠Ｅ９に当接せず、それを付勢することもない。
そのため、ヘッドホン５１を長時間装着しても良好な装着感が維持される。
【００４４】
図１１（ｂ）に示される小さい耳介Ｅａの場合、位置Ｐ３は、対耳珠Ｅ９よりも下方の耳垂Ｅ２の部分に位置し、耳当て部１ａ４は耳垂Ｅ２に当接する。
ここで耳垂Ｅ２は、極めて柔らかく容易に変形する部位であるため、ヘッドホン５１を長時間装着しても、不快感が生じ難く、比較的良好な装着が維持される。
【００４５】
図１１（ｃ）に示される大きい耳介Ｅｂの場合、位置Ｐ３は、耳甲介腔Ｅ６に対応した位置にある。耳甲介腔Ｅ６は、凹んだ部位であるため、角度θａをもって耳介Ｅから離れるように傾斜した本体部１の下方部位は耳介Ｅと当接しない。
これにより、ヘッドホン５１を長時間装着しても、本体部１の下方側は突出部位に当接せず、それを付勢することもない。
そのため、長時間装着しても良好な装着感が維持される。
【００４６】
このように、ヘッドホン５１は、グリル部１ａ１を概ね全周で囲む弧状、又は完全に全周で囲む環状に形成すると共に、グリル部１ａ１に対する突出高さＨｔを、連結部１ｄを設けた周方向位置で最大にし、連結部１ｄから耳当て部１ａの延在方向に沿って離れるほど小さくなるように形成することで、耳介Ｅの大きさの大小によらず、長時間装着しても良好な装着感が維持される。
【００４７】
また、ヘッドホン５１を耳介Ｅへ装着するときには、耳掛けハンガ３を図４の矢印ＤＲ１方向へ撓ませながら、耳掛けハンガ３と耳当て部１ａ４の下端位置である位置Ｐ３との間に、耳輪Ｅ１を、その上方側から通すように差し込む。
ここで、耳当て部１ａ４の突出高さＨｔが、連結部１ｄから耳当て部１ａの延在方向に沿って離れるほど低くなるように形成されていると、耳掛けハンガ３を撓ませない状態でも、耳当て部１ａ４の下端部位と耳掛けハンガ３との間に、ある程度の隙間が生じているため、耳輪Ｅ１の差し込みが容易となる。また、差し込む際の耳掛けハンガ３の変形量も少なくて済む。すなわち、ヘッドホン５１の耳介Ｅへの装着がより容易となる。
【００４８】
また、ヘッドホン５１は、図４に示されるように、連結部１ｄの前方側の稜線が、領域ＡＲ１において仮想平面ＳＦ２と概ね平行になっている。
領域ＡＲ１は、その下方端が、耳当て部１ａ４の上端に相当する位置Ｐ２であり、上方端が連結部１ｄの上端の位置Ｐ４である。
装着状態で、この上下方向に延びる領域ＡＲ１が頭部ＨＤに密着するように当接するので、ヘッドホン５１は、本体部１の位置Ｐ２を中心とした回動（矢印ＤＲ４）が生じ難くなっており、装着姿勢がより安定する。
【００４９】
ヘッドホン５１は、グリル部１ａ１よりも径方向外側に、グリル部１ａ１よりも放音方向に突出した耳当て部１ａ４を有している。グリル部１ａ１がドーム状の場合は、軸線ＣＬ１方向で最も突出した部位が仮想平面ＳＦ１を超えないようになっている。
これにより、床などに落としたヘッドホン５１を、上から誤って靴で踏みつけてしまった場合でも、床又は靴底にはグリル部１ａ１ではなく耳当て部１ａ４が当たるようになっている。すなわち、複数の放音孔１ａ２が穿設されているために非穿設の場合よりも強度が低下しているグリル部１ａ１には過大な力が付与されず、比較的強度の高い耳当て部１ａ４で力を受けるようになっている。
これにより、ヘッドホン５１は、グリル部１ａ１が破損する可能性が低い。
【００５０】
本発明の実施例は、上述した構成に限定されるものではなく、本発明の要旨を逸脱しない範囲において、以下に示されるような変形例としてもよい。
【００５１】
実施例では、耳当て部１ａ４を前ハウジング１ａに一体的に形成した例を説明したが、耳当て部１ａ４と、本体部１の耳当て部１ａ４を除く部分と、を別体としたヘッドホン５１Ａであってもよい。
図１３に示されるように、ヘッドホン５１Ａは、本体部１に対し、耳当て部１ａ４に対応する部分を除いた形状の本体部１Ａと、耳当て部１ａ４に対応する形状の耳当て体１ａ４Ａと、が組み合わされて構成される。この組み合わせの構造は、接着、溶着、嵌合装着、等の周知の方法が適用できる。
耳当て体１ａ４Ａには、連結部１ｄが干渉しないように逃げ部Ｎが形成される。
図１３には、耳当て体１ａ４Ａとしては、突出高さＨｔが周方向で概ね一定となるよう形成された耳当て体１ａ４Ａ１と、突出高さＨｔが、連結部１ｄ側から離れるほど低くなる耳当て体１ａ４Ａ２と、が例示されている。
【００５２】
耳当て体１ａ４Ａは、ヘッドホン５１Ａと同様に、ＡＢＳやエラストマなどの樹脂材で形成してよい。また、シリコーンゴムなどのゴム材で形成してもよい。
耳当て体１ａ４Ａは、本体部１Ａに対し、着脱自在とされていてもよい。
着脱自在とする場合は、ウレタンフォームなどのフォーム材で形成し、イヤーパッドとして機能させてもよい。
業務用無線通信用途では、降雨中の使用も想定した防水性能或いは防滴性能が要求されるため、これらの性能を十分に考慮して材料選択することが必要である。この観点では、実施例で説明したように、耳当て部１ａ４が樹脂製の前ハウジング１ａに一体的に形成されていると好ましい。
【００５３】
図１４（ａ）には、耳当て部１ａ４が、グリル部１ａ１を概ね全周で囲む弧状、又は完全に全周で囲む環状に形成されたものに限定されない。
弧状の例としては、図１４（ａ）に示されるような部分的に形成された弧状であってもよい。
また、図１４（ｂ）に示されるように、周方向に離隔した複数の柱状耳当て部１ｅであってもよい。
ヘッドホン５１は、左右両耳に装着可能とされる場合、本体部１の後面視となる周縁部形状が、回動軸線ＣＬ２に対して線対称とされているとよい。これにより、右耳と左耳とでの装着感が同等になる。
【００５４】
上述の実施例及び各変形例は、可能な範囲で互いに自由に組み合わせることができる。
【符号の説明】
【００５５】
１  本体部
１ａ  前ハウジング、    １ａ１  グリル部、    １ａ２  放音孔
１ａ３  放音部、    １ａ４  耳当て部
１ａ４Ａ，１ａ４Ａ１，１ａ４Ａ２  耳当て体
１ｂ  後ハウジング、    １ｃ  コード孔、    １ｄ  連結部
１ｅ  柱状耳当て部
２  ブッシング
３  耳掛けハンガ、    ３ａ  根本部、    ３ｂ  先端部
５１，５１Ａ  ヘッドホン
ＡＲ１  領域
Ｃ  コード、    Ｃａ  結び玉、    ＣＬ１  軸線、    ＣＬ２  回動軸線
ＤＲ１  ハンガ変形方向、    ＤＲ２，３  ハンガ回転方向、    ＤＲ４  装着時のガタ方向
Ｅ，Ｅａ，Ｅｂ  耳介
Ｅ１  耳輪、    Ｅ２  耳垂、    Ｅ３  耳輪脚、    Ｅ４  対耳輪
Ｅ５  耳甲介艇、    Ｅ６  耳甲介腔、    Ｅ７  外耳道
Ｅ８  耳珠、    Ｅ９  対耳珠
ＨＤ  頭部、    Ｈｔ，Ｈｔ１  突出高さ
ＬＮ１，ＬＮ２  線
Ｎ  逃げ部
Ｐ１  所定の位置、    Ｐ２〜Ｐ４  位置
ＳＦ１，ＳＦ２，ＳＦ２Ａ  仮想平面
ＳＰ  スピーカユニット、    ＳＰａ  振動板、    ＳＰｂ  端子部
Ｙ１  矢視方向
θａ  角度
【図１】
2015070468.tif 000003
【図２】
2015070468.tif 000004
【図３】
2015070468.tif 000005
【図４】
2015070468.tif 000006
【図５】
2015070468.tif 000007
【図６】
2015070468.tif 000008
【図７】
2015070468.tif 000009
【図８】
2015070468.tif 000010
【図９】
2015070468.tif 000011
【図１０】
2015070468.tif 000012
【図１１】
2015070468.tif 000013
【図１２】
2015070468.tif 000014
【図１３】
2015070468.tif 000015
【図１４】
2015070468.tif 000016